(57)【要約】【課題】リファレンス信号を不要としたディジタル信号伝送装置を提供すること。【解決手段】フレーム同期信号、フレーム同期識別、ＴＳＰカウンタなどの、規定のタイミングで放送トランスポートストリーム（ストリーム信号）に挿入される信号に基づいてクロックを抽出する。そして、このクロックに基づいてＩＦＦＴサンプリング周波数を再生させ、それに同期するクロックで信号変調処理を行うようにしている。このようにしたのでリファレンス信号を不要としたディジタル信号伝送装置を提供することが可能となり、ひいてはＯＦＤＭ放送システムを簡易に敷設することが可能になる。【選択図】      図１
2008078805.tif 000002
【特許請求の範囲】
【請求項１】
フレーム構造を有するストリーム信号をバッファするバッファ部と、
前記フレームに同期するクロックを前記ストリーム信号から抽出する抽出部と、
前記クロックに同期して前記バッファ部から前記ストリーム信号を読み出す読み出し部と、
この読み出し部により読み出されたストリーム信号を前記クロックに同期してＯＦＤＭ（Orthogonal Frequency Division Multiplexing）変調する変調部とを具備することを特徴とするディジタル信号伝送装置。
【請求項２】
さらに、前記読み出し部により読み出されたストリーム信号からこのストリーム信号に同期する同期信号を取り出すタイミング取得部と、
前記クロックと前記同期信号との差分に基づいて前記読み出し部に用いられるクロックの位相を制御する制御部を具備することを特徴とする請求項１に記載のディジタル信号伝送装置。
【請求項３】
前記クロックは、前記変調部に用いられるＩＦＦＴ（逆高速フーリエ変換）サンプリングクロックと同期することを特徴とする請求項１または２に記載のディジタル信号伝送装置。
【発明の詳細な説明】
【技術分野】
【０００１】
この発明は、例えば直交周波数分割多重（Orthogonal Frequency Division Multiplexing：ＯＦＤＭ）放送システムに用いられるディジタル信号伝送装置に関する。
【背景技術】
【０００２】
近時、地上波におけるデジタルテレビジョン放送の標準方式（ＩＳＤＢ−Ｔ：Integrated Services Digital Broadcasting for Terrestrial）が決定され、実用化に向けて種々の開発が進められている。欧州と日本においては直交周波数分割多重（以下、ＯＦＤＭという）方式が伝送方式として採用されることが決定され、特に欧州においては規格化が完了し実用レベルに達している。このＯＦＤＭ方式は、広帯域信号を互いに直交する多数の搬送波（以下、キャリアという）で伝送することにより、地上テレビジョン放送において必須の伝送条件であるマルチパス伝搬路における耐遅延干渉特性を改善できる等の特徴がある。
【０００３】
地上デジタルテレビジョン放送にあっては、互いに離れた複数の地点に設置された送信局または中継局からＯＦＤＭ信号をストリーム送信する単一周波数網（ＳＦＮ：Single Frequency Network）を構成することが予定されている。この種のネットワークにおいては送信周波数の厳密な管理に加え、信号の送信タイミングと、ＦＦＴ（高速フーリエ変換）、ＩＦＦＴ（逆高速フーリエ変換）サンプリング周波数とを厳密に管理することが求められる。このため、非同期で入力される放送ＴＳ（トランスポートストリーム）信号に同期し変調器のＩＦＦＴサンプリングクロックに同期しやすいクロック（以下リファレンス信号と称する）を、ＯＦＤＭ変調器に入力することが要求される（例えば特許文献１〜３を参照）。  
ところで、ケーブル伝送や閉塞空間でＳＦＮを構成しない用途においては、送信タイミングを厳密に管理する必要は必ずしもない。このことからシステム構成を簡易化できる可能性が有り、そのための技術の提供が待たれている。
【特許文献１】特開２０００−１３８６４７号公報
【特許文献２】特開平７−３２１７６２号公報
【特許文献３】特許第３５７８８０１号公報
【発明の開示】
【発明が解決しようとする課題】
【０００４】
以上述べたようにＳＦＮを構成しない場合には、信号の送信タイミングを厳密に管理する必要が無いのでリファレンス信号を不要にできる可能性がある。  
この発明は上記事情によりなされたもので、その目的は、リファレンス信号を不要としたディジタル信号伝送装置を提供することにある。
【課題を解決するための手段】
【０００５】
上記目的を達成するためにこの発明の一態様によれば、フレーム構造を有するストリーム信号をバッファするバッファ部と、前記フレームに同期するクロックを前記ストリーム信号から抽出する抽出部と、前記クロックに同期して前記バッファ部から前記ストリーム信号を読み出す読み出し部と、この読み出し部により読み出されたストリーム信号を前記クロックに同期してＯＦＤＭ変調する変調部とを具備することを特徴とするディジタル信号伝送装置が提供される。
【０００６】
このような手段を講じることにより、外部から与えられるリファレンス信号と同様の機能を持つクロックを、装置内部で、ストリーム信号から生成することが可能になる。すなわち変調用データの入力信号からＩＦＦＴサンプリング周波数を再生することができるようになる。従ってリファレンス信号が不要となり、ひいてはＩＳＤＢ−Ｔに基づく放送システムを簡易に敷設することが可能になる。
【発明の効果】
【０００７】
この発明によれば、リファレンス信号を不要としたディジタル信号伝送装置を提供することができる。
【発明を実施するための最良の形態】
【０００８】
図１は、この発明に係わるディジタル信号伝送装置の実施の形態を示す機能ブロック図である。図１には本発明を用いた入力処理構成の系統が示される。図１において、放送トランスポートストリーム（ＴＳ）は、発生源においてはＩＦＦＴサンプリング周波数に同期したフレーム構造、伝送レートで生成される。以下この信号をストリーム信号と略称する。図１の装置はこのストリーム信号を変調用データとして動作する。
【０００９】
図１において、ストリーム信号は入力バッファ２１により一時的にバッファされるとともに、タイミング信号抽出部２４に入力される。ストリーム信号には、フレーム同期信号やフレーム同期識別、ＴＳＰカウンタなどのように、規定のタイミングで定期的に挿入される信号がある。タイミング信号抽出部２４はこれらの信号のいずれか（要するに定期的に挿入される全ての信号が利用可能である）を利用し、このストリーム信号のフレーム構造に同期するクロックをこのストリーム信号から抽出する。このクロックはＩＦＦＴサンプリング周波数再生部２２により読み出しクロックにタイミング制御され、入力バッファ２１に与えられる。入力バッファ２１にバッファされたストリーム信号はこの読み出しクロックに同期して読み出され、変調処理部２３およびタイミング信号抽出部２５に与えられる。
【００１０】
このうち変調処理部２３は入力バッファ２１から読み出されたストリーム信号にＩＦＦＴ（逆高速フーリエ変換処理）処理を施し、ＯＦＤＭ変調をかけて図示しない下流側の装置に向け送出する。タイミング信号抽出部２５は、入力バッファ２１から読み出されたストリーム信号からこの信号に同期するタイミング信号を抽出する。このタイミング信号もＩＦＦＴサンプリング周波数再生部２２に入力される。
【００１１】
ＩＦＦＴサンプリング周波数再生部２２は、タイミング信号抽出部２４により抽出されたクロックと、タイミング信号抽出部２５により抽出されたタイミング信号とのずれから、入力バッファ２１の読み出し周波数レートと、ストリーム信号の入力バッファ２１への書き込み周波数レート差を検出する。ＩＦＦＴサンプリング周波数再生部２２は、その差分を内部の読み出し周波数を決定する発振器（図示せず）にフィードバックする。これによりその発振器の発振周波数は、入力側のＩＦＦＴサンプリング周波数と同期する周波数となる。
【００１２】
このようにしたので入力データレートと出力データレートとが同じとなり、入力データレートと出力データレートとを吸収するバッファ（入力バッファ２１）により、入力された変調用データ（ストリーム信号）を過不足なく変調することが可能となる。その際、再生フィードバックの時定数を十分遅くすることで、ＯＦＤＭ復調器で復調可能な短期的なＩＦＦＴ周波数変動量とすることが可能である。なおこの構成では比較的大きな長期的なワンダが発生するが、ＳＦＮを行わないシステムにおいては問題とならない。
【００１３】
図２は、比較のため既存のディジタル信号伝送装置を示す機能ブロック図である。図２には、従来の変調器の入力処理構成の系統が示される。図示するように既存のディジタル信号伝送装置はストリーム信号からこのストリーム信号のフレーム構造に同期するクロックを抽出する機構を備えていない。このため外部リファレンス信号を同期化部１２に与え、このリファレンス信号に基づいて読み出しクロックを生成して入力バッファ１１に与える必要がある。このため放送システムを手軽に敷設することが難しい。
【００１４】
これに対しこの実施形態では、フレーム同期信号、フレーム同期識別、ＴＳＰカウンタなどの、規定のタイミングで放送トランスポートストリーム（ストリーム信号）に挿入される信号に基づいてクロックを抽出する。そして、このクロックに基づいてＩＦＦＴサンプリング周波数を再生させ、それに同期するクロックで信号変調処理を行うようにしている。このようにしたのでリファレンス信号を不要としたディジタル信号伝送装置を提供することが可能となり、ひいてはＯＦＤＭ放送システムを簡易に敷設することが可能になる。
【００１５】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１６】
【図１】この発明に係わるディジタル信号伝送装置の実施の形態を示す機能ブロック図。
【図２】比較のため既存のディジタル信号伝送装置を示す機能ブロック図。
【符号の説明】
【００１７】
２１…入力バッファ、２４…タイミング信号抽出部、２２…ＩＦＦＴサンプリング周波数再生部、２５…タイミング信号抽出部、２３…変調処理部
【図１】
2008078805.tif 000003
【図２】
2008078805.tif 000004